(57)【要約】【課題】本発明は、各火災警報器からの伝達経路での火災の他、煙式、熱式、炎式などの火災警報器が火災を検知した場合の、いずれの場合でも確実に火災検知が可能となる火災警報器を提供する。【解決手段】家屋の部屋の天井面に取り付けられた煙式火災警報器、熱式火災警報器、炎式火災警報器などの火災警報器が火災を検知すると、前記火災警報器と火災報知設備との間に接続された火災感知線により電気信号が伝達される。また、前記火災警報器と前記火災報知設備との間に接続された火災感知線が配線された天井面、側壁面、床面などに異常高温(火災)が発生すると、前記火災感知線に適宜間隔で設けられた形状記憶合金体が形状復元し、前記形状記憶合金体によって火災感知線が締付けられ、その導体が接触して短絡して異常高温(火災)が感知され、前記火災報知設備のブザーやサイレン、警告灯などによって報知される。【選択図】図１
2010117876.tif 000002
【特許請求の範囲】
【請求項１】
電池式又はＡＣ電源式の煙式火災警報器、熱式火災警報器、炎式火災警報器などの火災警報器において、各警報器から火災発生を伝達する手段として適宜位置に形状記憶合金を用いた火災感知線を介して、各火災警報器の移報接点端子から出力される電気信号を火災報知設備に伝達することを特徴とする火災警報器。
【請求項２】
電池式又はＡＣ電源式の煙式火災警報器、熱式火災警報器、炎式火災警報器などの火災警報器において、各警報器から火災発生を伝達する手段として適宜位置に温度センサーを用いたケーブルを火災感知線として用いて、各火災報知器の移報接点端子から出力される電気信号を火災報知設備に伝達することを特徴とする火災警報器。
【請求項３】
電池式又はＡＣ電源式の煙式火災警報器、熱式火災警報器、炎式火災警報器などの火災警報器において、各警報器から火災発生を伝達する手段として適宜位置に形状記憶合金を用いた、あるいは温度センサーを用いたケーブルを火災感知線として用いて、各火災報知器の移報接点端子から出力される電気信号を火災報知設備に伝達することと、伝達経路においても火災感知線の断線情報をも、火災報知機に伝達できることを特徴とする火災警報器。
【発明の詳細な説明】
【技術分野】
【０００１】
本発明は、各火災警報器からの伝達経路での火災の他、煙式、熱式、炎式などの火災警報器が火災を検知した場合の、いずれの場合でも確実に火災検知が可能となる火災警報器に関する。
【背景技術】
【０００２】
従来、煙式、熱式、炎式などの火災警報器はそれぞれ特徴を考慮し、各部屋個別に設置され、火災報知設備へ信号伝達手段はケーブルを配線して火災報知設備に導かれ、火災を報知する手段として用いられている。
例えば、煙式火災警報器からの火災報知器への伝達手段に、一般的なケーブルを用いた場合は、火災伝達経路で発生する火災の検知は不可能であるばかりでなく、伝達経路で火災が発生した場合、経路にあるケーブル自体が損傷し、或いは燃えた場合、その時間帯が検知すべき煙が煙式火災警報器に到達する前であれば、煙式火災警報器そのものが火災警報器としてまったく用を成さない事態となる。
【０００３】
そこで、ケーブル自体を火災の検知に利用する火災報知器が知られている（特許文献１，２を参照）。
この公知技術では、形状記憶合金体が適宜距離間隔で導体を有する一対の電線の周りに巻き付けられ、その電線がリールから引き出されて敷設され、火災が発生した時、火災の熱によって前記形状記憶合金体が形状復元し、前記形状記憶合金体によって各電線が締付けられ、その導体が接触して短絡し、火災が感知される火災報知器である。
【０００４】
また、工場の産業機械の内部機器の異常発熱及び火災に的確に対処する火災報知システムが知られている（特許文献３を参照）。
この公知技術では、形状記憶合金体を対の可溶絶縁電線の周りに巻き付け、前記形状記憶合金体及び絶縁電線によって火災センサーを構成し、前記火災センサーを工場の産業機械の内部機器、遊戯施設の遊戯機器または自動販売機に設けると共に、前記電線の導体をブザー及び電源に接続した火災報知システムである。
【特許文献１】再公表特許２００５−１０８４１号公報
【特許文献２】再公表特許２００５−２２４７８号公報
【特許文献３】特開２００８−１０８１５８号公報
【発明の開示】
【発明が解決しようとする課題】
【０００５】
本発明は、各火災警報器からの伝達経路での火災の他、煙式、熱式、炎式などの火災警報器が火災を検知した場合の、いずれの場合でも確実に火災検知が可能となる火災警報器を提供することを目的とする。
【課題を解決するための手段】
【０００６】
本発明の火災警報器は、電池式又はＡＣ電源式の煙式火災警報器、熱式火災警報器、炎式火災警報器などの火災警報器において、各警報機から火災発生を伝達する手段として適宜位置に形状記憶合金を用いた火災感知線を介して、各火災警報器の移報接点端子から出力される電気信号を火災報知設備に伝達するものである。
【０００７】
本発明の火災警報器は、電池式又はＡＣ電源式の煙式火災警報器、熱式火災警報器、炎式火災警報器などの火災警報器において、各警報機から火災発生を伝達する手段として適宜位置に温度センサーを用いたケーブルを火災感知線として用いて、各火災報知器の移報接点端子から出力される電気信号を火災報知設備に伝達するものである。
【発明の効果】
【０００８】
本発明の火災警報器は、電池式又はＡＣ電源式の煙式火災警報器、熱式火災警報器、炎式火災警報器などの火災警報器において、各警報器から火災発生を伝達する手段として適宜位置に形状記憶合金を用いた火災感知線を介して、各火災警報器の移報接点端子から出力される電気信号を火災報知設備に伝達するものであるため、火災発生の感知の際、各火災警報機及び形状記憶合金を用いた火災感知線からの火災発生信号を早期に伝達できるので損害を最小限に抑える効果がある。
【０００９】
本発明の火災警報器は、電池式又はＡＣ電源式の煙式火災警報器、熱式火災警報器、炎式火災警報器などの火災警報器において、各警報器から火災発生を伝達する手段として適宜位置に温度センサーを用いたケーブルを火災感知線として用いて、各火災報知器の移報接点端子から出力される電気信号を火災報知設備に伝達するため、火災発生の感知の際、各火災警報機及び温度センサーを用いたケーブルの火災感知線からの火災発生信号を早期に伝達できるので損害を最小限に抑える効果がある。
【発明を実施するための最良の形態】
【００１０】
本発明の火災警報器の一実施例を添付図面に基づいて、以下に説明する。
図１は本発明の火災警報器の概略を示す説明図である。
電池式又はＡＣ電源式の煙式火災警報器、熱式火災警報器、炎式火災警報器などの火災警報器１は、一般に家屋の部屋の天井面に取り付けられるが、特殊には工場の産業機械の内部機器、遊戯施設の遊戯機器又は自動販売機に取り付けられる。
【００１１】
各火災警報器１から火災発生を伝達する手段として、適宜位置に導体を有する一対の電線の周りに形状記憶合金体２が巻き付けられた火災感知線３、又は適宜位置に温度センサーを用いたケーブルを火災感知線３として用い、前記火災感知線３が各火災警報器１の接続用コネクタ４に接続されるものである。
【００１２】
前記火災感知線３は各火災警報器１の移報接点端子から出力される電気信号を火災報知設備５に伝達するものである。
前記火災報知設備５は、火災が発生した際にブザーやサイレン、警告灯などによって報知する。
【００１３】
次に、本発明の火災警報器の操作動作を添付図面に基づいて、以下に説明する。
家屋の部屋の天井面に取り付けられた煙式火災警報器、熱式火災警報器、炎式火災警報器などの火災警報器１が火災を検知すると、前記火災警報器１と火災報知設備５との間に接続された火災感知線３により電気信号が伝達されて、前記火災報知設備５のブザーやサイレン、警告灯などによって報知される。
【００１４】
また、前記火災警報器１と前記火災報知設備５との間に接続された火災感知線３が配線された天井面、側壁面、床面などに異常高温(火災)が発生すると、前記火災感知線３に適宜間隔で設けられた形状記憶合金体２が形状復元し、前記形状記憶合金体２によって火災感知線３が締付けられ、その導体が接触して短絡して異常高温(火災)が感知され、前記火災報知設備５のブザーやサイレン、警告灯などによって報知される。
【図面の簡単な説明】
【００１５】
【図１】本発明の火災警報器の概略を示す説明図である。
【符号の説明】
【００１６】
１  火災警報器
２  形状記憶合金体
３  火災感知線
４  接続用コネクタ
５  火災報知設備
【図１】
2010117876.tif 000003